【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
画像形成装置であって、
感光ドラムと、
前記感光ドラムを回転可能に支持するフレームと、
前記感光ドラムを露光するための光を出射する発光素子と、前記発光素子から出射された光を前記感光ドラムに集光させるレンズと、を有する光プリントヘッドと、
前記光プリントヘッドを前記フレームに対して移動可能に支持し、前記感光ドラムから離れた離間位置から当該離間位置よりも前記感光ドラムに近い位置であって前記感光ドラムを露光する露光位置へ移動させる移動機構と、を有し、
前記移動機構は、
前記感光ドラムの回転軸線方向に沿ってスライド移動するスライド部と、
前記回転軸線方向における前記スライド部の一端側に回動可能に接続されて第１の接続部を構成し、前記回転軸線方向における前記光プリントヘッドの一端側に回動可能に接続されて第２の接続部を構成する第１のリンク部材であって、前記回転軸線方向における前記スライド部の一端側から他端側へ向かう一方向において前記第２の接続部の方が前記第１の接続部よりも下流側に位置するように設けられた第１のリンク部材と、
前記回転軸線方向における前記スライド部の他端側に回動可能に接続されて第３の接続部を構成し、前記回転軸線方向における前記光プリントヘッドの他端側に回動可能に接続されて第４の接続部を構成する第２のリンク部材であって、前記一方向において前記第４の接続部の方が前記第３の接続部よりも下流側に位置するように設けられた第２のリンク部材と、
前記フレームに固定され、前記光プリントヘッドが前記一方向へ向けて当接する当接部と、を備え、
前記当接部は、前記スライド部の前記一方向へのスライド移動に連動して前記第１のリンク部材および前記第２のリンク部材それぞれが前記第１の接続部および前記第３の接続部を回動中心として前記スライド部に対して回動し、当該回動に連動して前記第２の接続部および前記第４の接続部それぞれが前記離間位置から前記露光位置へ向かう方向に移動するように、前記光プリントヘッドの前記一方向への移動を制限する、ことを特徴とする画像形成装置。
【請求項２】
前記一方向は画像形成装置の奥側から手前側へ向かう方向であることを特徴とする請求項１に記載の画像形成装置。
【請求項３】
前記当接部は前記一方向において前記光プリントヘッドよりも下流側で前記フレームに固定されていることを特徴とする請求項１または請求項２に記載の画像形成装置。
【請求項４】
前記感光ドラムを有し前記画像形成装置に対し着脱可能なドラムカートリッジと、
前記回転軸線方向における前記光プリントヘッドの一端側に設けられ、前記第２の接続部と接触している第１のバネと、
前記回転軸線方向における前記光プリントヘッドの他端側に設けられ、前記第４の接続部と接触している第２のバネと、を備え、
前記光プリントヘッドが前記ドラムカートリッジに接触した状態で前記スライド部が前記一方向にスライド移動し前記第１のリンク部材と前記第２のリンク部材とが回動することに応じて前記第１のバネおよび前記第２のバネが変形し、前記光プリントヘッドは変形した前記第１のバネおよび記第２のバネに生じる復元力により前記ドラムカートリッジに付勢されることを特徴とする請求項１から請求項３までのいずれか１項に記載の画像形成装置。
【請求項５】
前記回転軸線方向における前記光プリントヘッドの一端側には前記第１のバネの一端側及び他端側のそれぞれが取り付けられる一対のバネ取付部が前記回転軸線方向において対向して設けられており、前記第１のリンク部材は、前記第２の接続部が前記第１のバネに対して前記感光ドラムが配置されている側とは反対側から支持するように配置され、
前記回転軸線方向における前記光プリントヘッドの他端側には前記第２のバネの一端側及び他端側のそれぞれが取り付けられる一対のバネ取付部が前記回転軸線方向において対向して設けられており、前記第２のリンク部材は、前記第４の接続部が前記第２のバネに対して前記感光ドラムが配置されている側とは反対側から支持するように配置されていることを特徴とする請求項４に記載の画像形成装置。
【請求項６】
前記第１のバネおよび前記第２のバネはコイルバネであって、
前記第１のバネの長手方向における前記第１のバネの一端側は前記第１のバネの他端側よりも前記感光ドラムに近い位置で前記バネ取付部に取り付けられており、前記第２のバネの長手方向における前記第２のバネの一端側は前記第２のバネの他端側よりも前記感光ドラムに近い位置で前記バネ取付部に取り付けられており、
前記スライド部のスライド移動に連動して前記第２の接続部および前記第４の接続部がそれぞれ前記ドラムカートリッジに向かって移動して前記第１のバネおよび前記第２のバネを伸ばす方向に変形させることによって、前記光プリントヘッドは前記第１のバネおよび前記第２のバネの一端側から他端側に向かう方向に付勢されることを特徴とする請求項５に記載の画像形成装置。
【請求項７】
前記第１のバネおよび前記第２のバネはコイルバネであって、
前記第１のバネの長手方向における前記第１のバネの一端側は前記光プリントヘッドに接続され、かつ、前記第１のバネの長手方向における前記第１のバネの他端側は前記第１のバネの一端側と前記光プリントヘッドとが接続された部分よりも前記感光ドラムに近い位置において前記第２の接続部と接続されており、
前記第２のバネの長手方向における前記第２のバネの一端側は前記光プリントヘッドに接続され、且つ、前記第２のバネの長手方向における前記第２のバネの他端側は前記第２のバネの一端側と前記光プリントヘッドとが接続された部分よりも前記感光ドラムに近い位置において前記第４の接続部と接続されており、
前記スライド部のスライド移動に連動して前記第２の接続部および前記第４の接続部がそれぞれ前記ドラムカートリッジに向かって移動すると前記第１のバネおよび前記第２のバネを伸ばす方向に変形させることを特徴とする請求項４に記載の画像形成装置。
【請求項８】
前記第１のバネおよび前記第２のバネはコイルバネであって、
前記第１のバネの長手方向における前記第１のバネの一端側は前記第２の接続部と接触し、且つ、前記第１のバネの長手方向における前記第１のバネの他端側は前記第１のバネの一端側と前記第２の接続部とが接触する部分よりも前記感光ドラムに近い位置において前記光プリントヘッドと接触しており、
前記第２のバネの長手方向における前記第２のバネの一端側は前記第４の接続部と接触し、且つ、前記第２のバネの長手方向における前記第２のバネの他端側は前記第２のバネの一端側と前記第４の接続部とが接触する部分よりも前記感光ドラムに近い位置において前記光プリントヘッドと接触しており、
前記スライド部のスライド移動に連動して前記第２の接続部および前記第４の接続部がそれぞれ前記ドラムカートリッジに向かって移動すると前記第１のバネおよび前記第２のバネを縮める方向に変形させることを特徴とする請求項４に記載の画像形成装置。
【請求項９】
前記光プリントヘッドが前記露光位置に位置する場合、前記第２の接続部は前記第１のバネに接触しており且つ前記第４の接続部は前記第２のバネに接触しており、
前記光プリントヘッドが離間位置に位置する場合、前記第２の接続部は前記第１のバネに非接触で且つ前記第４の接続部は前記第２のバネに非接触であることを特徴とする請求項５または請求項６に記載の画像形成装置。
【請求項１０】
前記第２の接続部は、前記第１のリンク部材の長手方向における前記第１のリンク部材の他端側に形成された、前記第１のリンク部材の回動軸線方向に延びる円柱状の突起であって、
前記第４の接続部は、前記第２のリンク部材の長手方向における前記第２のリンク部材の他端側に形成された、前記第２のリンク部材の回動軸線方向に延びる円柱状の突起であることを特徴とする請求項１から請求項９のいずれか１項に記載の画像形成装置。
【請求項１１】
前記移動機構は、前記光プリントヘッドに対して、前記感光ドラムが配置されている側とは反対側に配置されていることを特徴とする請求項１から請求項１０までのいずれか１項に記載の画像形成装置。
【手続補正２】
【補正対象書類名】明細書
【補正対象項目名】００１１
【補正方法】変更
【補正の内容】
【００１１】
上記課題に対して、本願発明の画像形成装置は、感光ドラムと、前記感光ドラムを回転可能に支持するフレームと、前記感光ドラムを露光するための光を出射する発光素子と、前記発光素子から出射された光を前記感光ドラムに集光させるレンズと、を有する光プリントヘッドと、前記光プリントヘッドを前記フレームに対して移動可能に支持し、前記感光ドラムから離れた離間位置から当該離間位置よりも前記感光ドラムに近い位置であって前記感光ドラムを露光する露光位置へ移動させる移動機構と、を有し、前記移動機構は、前記感光ドラムの回転軸線方向に沿ってスライド移動するスライド部と、前記回転軸線方向における前記スライド部の一端側に回動可能に接続されて第１の接続部を構成し、前記回転軸線方向における前記光プリントヘッドの一端側に回動可能に接続されて第２の接続部を構成する第１のリンク部材であって、前記回転軸線方向における前記スライド部の一端側から他端側へ向かう一方向において前記第２の接続部の方が前記第１の接続部よりも下流側に位置するように設けられた第１のリンク部材と、前記回転軸線方向における前記スライド部の他端側に回動可能に接続されて第３の接続部を構成し、前記回転軸線方向における前記光プリントヘッドの他端側に回動可能に接続されて第４の接続部を構成する第２のリンク部材であって、前記一方向において前記第４の接続部の方が前記第３の接続部よりも下流側に位置するように設けられた第２のリンク部材と、前記フレームに固定され、前記光プリントヘッドが前記一方向へ向けて当接する当接部と、を備え、前記当接部は、前記スライド部の前記一方向へのスライド移動に連動して前記第１のリンク部材および前記第２のリンク部材それぞれが前記第１の接続部および前記第３の接続部を回動中心として前記スライド部に対して回動し、当該回動に連動して前記第２の接続部および前記第４の接続部それぞれが前記離間位置から前記露光位置へ向かう方向に移動するように、前記光プリントヘッドの前記一方向への移動を制限する、ことを特徴とする。
【手続補正３】
【補正対象書類名】明細書
【補正対象項目名】００１７
【補正方法】変更
【補正の内容】
【００１７】
（ドラムユニット）
続いて、本実施例に係る画像形成装置１に着脱可能な交換ユニット（ドラムカートリッジ）の一例であるドラムユニット５１８（Ｙ、Ｍ、Ｃ、Ｋ）および現像ユニット６４１（Ｙ、Ｍ、Ｃ、Ｋ）について説明する。図２（ａ）は、画像形成装置１が備えるドラムユニット５１８及び現像ユニット６４１周囲の概略斜視図である。また、図２（ｂ）は画像形成装置１に対して装置本体の外側から挿入途中の状態のドラムユニット５１８を示す図である。
【手続補正４】
【補正対象書類名】明細書
【補正対象項目名】００１８
【補正方法】変更
【補正の内容】
【００１８】
図２（ａ）に示すように、画像形成装置１は、板金で形成される前側板６４２と後側板６４３を備える。前側板６４２は画像形成装置１の正面側に設けられた側壁である。一方、後側板６４３は画像形成装置１の背面側に設けられた側壁である。図２（ａ）に示すように、前側板６４２と後側板６４３は対面して配置され、それらの間には梁としての不図示の板金が橋架されている。前側板６４２、後側板６４３、および不図示の梁はそれぞれ、画像形成装置１の枠体（フレームの一例）の一部を構成する。
【手続補正５】
【補正対象書類名】明細書
【補正対象項目名】００５９
【補正方法】変更
【補正の内容】
【００５９】
図１２（ａ）および（ｂ）に示すように、リンク部材１５１は、軸受部１１０と、第１移動部（第２の接続部）の一例としての突起１５５を備える。軸受部１１０はリンク部材１５１の長手方向の一端側に設けられている。図１１（ａ）および（ｂ）に示すように突起１５５は、リンク部材１５１の長手方向の他端側に設けられた、リンク部材１５１の回動軸線方向に延びる円柱状の突起であって、光プリントヘッド１０５の保持体５０５側に設けられたバネを変形させるための突起である。ここで、第１移動部は突起１５５に限らず、リンク部材１５１の長手方向の一端側がリンク部材１５１の回動軸線方向に屈曲した構造でも構わない。
【手続補正６】
【補正対象書類名】明細書
【補正対象項目名】００６２
【補正方法】変更
【補正の内容】
【００６２】
保持体５０５の一端より前側（スライド部５２５が後側から前側（一方向の一例）へ移動するとした時の下流側）には第１支持部５２７（不図示）の当接部５２９が配置されている。これにより、スライド部５２５が第３支持部５２６に対して後側から前側へスライド移動すると、スライド部５２５と共に嵌合軸部５３４に嵌合した軸受部１１０が第３支持部５２６に対して後側から前側へスライド移動する。それに伴い、突起１５５が取り付けられた保持体５０５も前側に移動しようとするが、保持体５０５の一端は当接部５２９に当接しており前側への移動が制限される。リンク部材１５１は、突起１５５を備える一端側が軸受部１１０を備える他端側よりドラムユニット５１８側に位置するように感光ドラム１０３の回転軸線方向に交差して配置されているため、図１２（ａ）に示すように右側から見ると嵌合軸部５３４を回動中心として反時計回りに回動する。よって、保持体５０５は、保持体５０５の一端が当接部５２９に当接しながら退避位置から露光位置に向かって移動する。このように、保持体５０５がスライド部５２５のスライド移動方向に移動した時に突き当たる当接部５２９が設けられていることで、特許文献１における第２リンク部８９を設けずとも、保持体５０５を退避位置から露光位置に向けて移動させることができる。
【手続補正７】
【補正対象書類名】明細書
【補正対象項目名】００６５
【補正方法】変更
【補正の内容】
【００６５】
なお、リンク部材１５１およびリンク部材１５２は、他端側が一端側より前側に配置され、当接部５２９が保持体５０５の他端より後側（スライド部５２５が前側から後側へ移動するとした時の下流側）に配置されていても構わない。すなわち、当接部５２９は保持体５０５を退避位置から露光位置へ移動させる際の、スライド部５２５がスライド移動する方向（一方向の一例）の下流側に配置されていればよい。スライド部５２５が第３支持部５２６に対して前側から後側へスライド移動すると、スライド部５２５と共に嵌合軸部５３４に嵌合した軸受部１１０が第３支持部５２６に対して前側から後側へスライド移動する。それに伴い、突起１５５が取り付けられた保持体５０５も後側に移動しようとするが、保持体５０５の他端は当接部５２９に当接しており後側への移動が制限される。よって、リンク部材１５１を右側から見た時、リンク部材１５１およびリンク部材１５２はスライド部５２５に対して時計回りに回動し、保持体５０５は他端が当接部５２９に当接しながら退避位置から露光位置に向かって移動する。この場合、カバー５５８は、開状態から閉状態への移動時にスライド部５２５を前側から後側へ押し込み、閉状態から開状態への移動時にスライド部５２５を後側から前側へ引き込む。
【手続補正８】
【補正対象書類名】明細書
【補正対象項目名】００８７
【補正方法】変更
【補正の内容】
【００８７】
図１８（ｃ）に示すように、第３壁部７５３と第４壁部７５４はそれぞれ互いに対面する内壁面を含む。第３壁部７５３には開口７５７が形成され、第４壁部７５４には開口７５８が形成されている。開口７５７および開口７５８は上下方向に延びる長孔である。開口７５７および開口７５８には第２移動部（第４の接続部）の一例としての突起１５６が挿入されている。突起１５６は開口７５７および開口７５８に対して嵌合されておらず、前後方向において最も狭いところで０．５ｍｍ程度の間隙を以て挿入されている。そのため、突起１５６は、開口７５７および開口７５８の内壁面から大きな摩擦力を受けることなく、開口７５７および開口７５８によって上下方向にその移動方向を案内される。